(57)【要約】【課題】基材の間からの粘着層のはみ出しを抑制できる粘着フィルム用梱包箱及び粘着フィルム梱包セットを提供する。【解決手段】この粘着フィルム用梱包箱２では、収容される粘着フィルム３の主面に対向する主壁部１１ａに交差する側壁部１１ｂにおいて、凹凸パターンによる滑止部１８ａが設けられている。この滑止部１８ａは、収容された粘着フィルム３の縁部３ｂに接触し、梱包箱に複数の粘着フィルム３を立てた状態で並べた場合であっても、粘着フィルム３の下側となった部分が湾曲することを防止する。したがって、粘着層２１が基材２２，２３の間からはみ出してしまうことを抑制できる。【選択図】図５
2015085940.tif 000002
【特許請求の範囲】
【請求項１】
基材と粘着層とを含んで構成される粘着フィルムを梱包する粘着フィルム用梱包箱であって、
前記粘着フィルムが収容される本体部と、
前記本体部を開閉させる蓋部と、を備え、
前記本体部は、収容される粘着フィルムの主面に対向する第１の壁部と、前記第１の壁部と交差する第２の壁部とを有し、
前記第２の壁部には、凹凸パターンによる滑止部が設けられていることを特徴とする粘着フィルム用梱包箱。
【請求項２】
前記滑止部は、前記本体部と同一の材料によって形成されていることを特徴とする請求項１記載の粘着フィルム用梱包箱。
【請求項３】
前記滑止部は、前記本体部と一体的に形成されていることを特徴とする請求項１又は２記載の粘着フィルム用梱包箱。
【請求項４】
前記滑止部の算術平均粗さは、１０μｍ以上となっていることを特徴とする請求項１〜３のいずれか一項記載の粘着フィルム用梱包箱。
【請求項５】
前記滑止部は、収容される粘着フィルムの積層方向に応じて延在していることを特徴とする請求項４記載の粘着フィルム用梱包箱。
【請求項６】
前記滑止部は、複数列の溝部によって形成されていることを特徴とする請求項１〜３のいずれか一項記載の粘着フィルム用梱包箱。
【請求項７】
前記溝部の幅をＷとし、前記溝部の深さをＨとした場合に、幅に対する深さの比Ｈ／Ｗが０．５〜１．０の範囲となっていることを特徴とする請求項６記載の粘着フィルム用梱包箱。
【請求項８】
前記溝部は、収容される粘着フィルムの縁部に応じて延在していることを特徴とする請求項６又は７記載の粘着フィルム用梱包箱。
【請求項９】
前記第１の壁部には、前記粘着フィルムの角部を除く部分又は前記粘着フィルムの縁部を除く部分を保持する第１の保持部が設けられていることを特徴とする請求項１〜８のいずれか一項記載の粘着フィルム用梱包箱。
【請求項１０】
前記蓋部は、閉じた状態において前記第１の壁部と対向する第３の壁部を有し、
前記第３の壁部には、前記粘着フィルムの角部を除く部分又は前記粘着フィルムの縁部を除く部分を保持する第２の保持部が設けられていることを特徴とする請求項１〜９のいずれか一項記載の粘着フィルム用梱包箱。
【請求項１１】
前記第２の壁部は、紫外線に対して透明性を有していることを特徴とする請求項１〜１０のいずれか一項記載の粘着フィルム用梱包箱。
【請求項１２】
前記第２の壁部は、前記粘着フィルムの角部に対向する第１の部分と、前記粘着フィルムの角部を除く部分に対向する第２の部分とを有し、
前記第１の部分は、前記第２の部分に比べて外向きに突出していることを特徴とする請求項１〜１１のいずれか一項記載の粘着フィルム用梱包箱。
【請求項１３】
前記第２の部分は、内向きに突出する突出部を有し、
前記滑止部は、前記突出部の頂面に設けられていることを特徴とする請求項１２記載の粘着フィルム用梱包箱。
【請求項１４】
前記蓋部は、前記本体部の角部を嵌め込み可能な形状の嵌合部を有していることを特徴とする請求項１〜１３のいずれか一項記載の粘着フィルム用梱包箱。
【請求項１５】
基材と粘着層とを含んで構成される粘着フィルムが、請求項１〜１４のいずれか一項記載の粘着フィルム用梱包箱に梱包されていることを特徴とする粘着フィルム梱包セット。
【発明の詳細な説明】
【技術分野】
【０００１】
本発明は、粘着フィルム用梱包箱及び粘着フィルム梱包セットに関する。
【背景技術】
【０００２】
近年、携帯電話、携帯ゲーム機、デジタルカメラ、カーナビゲーション、携帯用小型パソコン、携帯情報端末（ＰＤＡ）等の液晶表示装置において、タッチパネルが搭載されるようになってきた。このような液晶表示装置（以下、タッチパネル式ディスプレイという場合もある）の場合には、保護パネル、タッチパネル、及び液晶パネルがこの順で積層された積層構造となっており、保護パネルとタッチパネルとの間、タッチパネルと液晶パネルとの間に透明な粘着フィルムを介在させる場合がある。このような粘着フィルムは、ディスプレイの輝度や鮮明さの向上に寄与するほか、衝撃吸収材としての機能も有しているため、ディスプレイの構成に欠かせない要素となってきている（例えば特許文献１参照）。
【先行技術文献】
【特許文献】
【０００３】
【特許文献１】特開２００８−８３４９１号公報
【発明の概要】
【発明が解決しようとする課題】
【０００４】
しかしながら、梱包箱に複数の粘着フィルムを積層した状態で収容すると、粘着フィルム自体の重さによって下層の粘着フィルムに圧力がかかり、基材の間から粘着層がはみ出してしまうおそれがある。これに対し、梱包箱に複数の粘着フィルムを立てた状態で並べることが考えられるが、この場合もフィルム自体の重さによって変形が発生し、フィルム下部に局所的な圧力がかかって基材の間から粘着層のはみ出しが生じるおそれがある。
【０００５】
本発明は、上記課題の解決のためになされたものであり、基材の間からの粘着層のはみ出しを抑制できる粘着フィルム用梱包箱及び粘着フィルム梱包セットを提供することを目的とする。
【課題を解決するための手段】
【０００６】
上記課題の解決のため、本発明に係る粘着フィルム用梱包箱は、基材と粘着層とを含んで構成される粘着フィルムを梱包する粘着フィルム用梱包箱であって、粘着フィルムが収容される本体部と、本体部を開閉させる蓋部と、を備え、本体部は、収容される粘着フィルムの主面に対向する第１の壁部と、第１の壁部と交差する第２の壁部とを有し、第２の壁部には、凹凸パターンによる滑止部が設けられていることを特徴としている。
【０００７】
この粘着フィルム用梱包箱では、収容される粘着フィルムの主面に対向する第１の壁部に交差する第２の壁部において、凹凸パターンによる滑止部が設けられている。この滑止部は、収容された粘着フィルムの縁部に接触し、梱包箱に複数の粘着フィルムを立てた状態で並べた場合であっても、粘着フィルムの下側となった部分が湾曲することを防止する。したがって、粘着層が基材の間からはみ出してしまうことを抑制できる。
【０００８】
また、滑止部は、本体部と同一の材料によって形成されていることが好ましい。この場合、粘着フィルム用梱包箱の製造を簡単化できる。
【０００９】
また、滑止部は、本体部と一体的に形成されていることが好ましい。この場合、粘着フィルム用梱包箱の部品点数を削減できる。
【００１０】
また、滑止部の算術平均粗さは、１０μｍ以上となっていることが好ましい。これにより、滑止部と粘着フィルムとの摩擦が高められ、粘着フィルムの湾曲を好適に防止できる。また、滑止部を粗面で構成することで、滑止部に異物が混入してしまうことも回避できる。
【００１１】
また、滑止部は、収容される粘着フィルムの積層方向に応じて延在していることが好ましい。これにより、収容された粘着フィルムの縁部に滑止部をより確実に接触させることができる。
【００１２】
また、滑止部は、複数列の溝部によって形成されていることが好ましい。この場合、溝部によって滑止部と粘着フィルムとの摩擦が高められ、粘着フィルムの湾曲を好適に防止できる。
【００１３】
また、溝部の幅をＷとし、溝部の深さをＨとした場合に、幅に対する深さの比Ｈ／Ｗが０．５〜１．０の範囲となっていることが好ましい。この範囲を満たすことで滑止部と粘着フィルムとの摩擦が高められ、粘着フィルムの湾曲を一層確実に防止できる。
【００１４】
また、溝部は、収容される粘着フィルムの縁部に応じて延在していることが好ましい。これにより、収容された粘着フィルムの縁部に溝部をより確実に接触させることができる。
【００１５】
また、第１の壁部には、粘着フィルムの角部を除く部分又は粘着フィルムの縁部を除く部分を保持する第１の保持部が設けられていることが好ましい。この第１の保持部は、本体部に収容される粘着フィルムのうち、角部を除く部分のみを保持する。これにより、収容される粘着フィルムを本体部内でしっかりと保持しつつ、粘着フィルムの基材の間からの粘着層のはみ出しを抑制できる。
【００１６】
また、蓋部は、閉じた状態において第１の壁部と対向する第３の壁部を有し、第３の壁部には、粘着フィルムの角部を除く部分又は粘着フィルムの縁部を除く部分を保持する第２の保持部が設けられていることが好ましい。この第２の保持部は、本体部に収容される粘着フィルムのうち、角部を除く部分のみを保持する。これにより、収容される粘着フィルムを本体部内でしっかりと保持しつつ、粘着フィルムの基材の間からの粘着層のはみ出しを抑制できる。
【００１７】
また、第２の壁部は、紫外線に対して透明性を有していることが好ましい。こうすると、本体部に収容した粘着フィルムの側面に、梱包箱の外側から紫外線を照射することが可能となる。粘着フィルムの粘着層を所望の程度で硬化させることにより、基材の間からの粘着層のはみ出しを一層確実に抑制できる。
【００１８】
また、第２の壁部は、粘着フィルムの角部に対向する第１の部分と、粘着フィルムの角部を除く部分に対向する第２の部分とを有し、第１の部分は、第２の部分に比べて外向きに突出していることが好ましい。このような構成により、粘着フィルムの角部に側壁部の内面が当たることを抑制できるので、基材の間からの粘着層のはみ出しを一層確実に抑制できる。
【００１９】
また、第２の部分は、内向きに突出する突出部を有し、滑止部は、突出部の頂面に設けられていることが好ましい。これにより、粘着フィルムの縁部に対して第２の壁部が接触する部分を小さくできるので、基材の間からの粘着層のはみ出しを一層確実に抑制できる。
【００２０】
また、蓋部は、本体部の角部を嵌め込み可能な形状の嵌合部を有していることが好ましい。これにより、複数の粘着フィルム用梱包箱を起立した状態で並べることが可能となる。
【００２１】
また、本発明に係る粘着フィルム梱包セットは、基材と粘着層とを含んで構成される粘着フィルムが、上記粘着フィルム用梱包箱に梱包されていることを特徴としている。
【００２２】
この粘着フィルム梱包セットでは、収容される粘着フィルムの主面に対向する第１の壁部に交差する第２の壁部において、凹凸パターンによる滑止部が設けられている。この滑止部は、収容された粘着フィルムの縁部に接触し、梱包箱に複数の粘着フィルムを立てた状態で並べた場合であっても、粘着フィルムの下側となった部分が湾曲することを防止する。したがって、粘着層が基材の間からはみ出してしまうことを抑制できる。
【発明の効果】
【００２３】
本発明によれば、基材の間からの粘着層のはみ出しを抑制できる。
【図面の簡単な説明】
【００２４】
【図１】本発明に係る粘着フィルム梱包セットの一実施形態を示す斜視図である。
【図２】図１に示した粘着フィルム梱包セットを蓋部が開いた状態で示す斜視図である。
【図３】粘着フィルムの層構成の一例を示す図である。
【図４】粘着フィルムの収容状態を示す図である。
【図５】滑止部の一例を示す要部拡大図である。
【図６】滑止部の変形例を示す要部拡大図である。
【図７】滑止部の別の変形例を示す要部拡大図である。
【図８】粘着フィルム用梱包箱の整列状態を示す図である。
【図９】粘着フィルム用梱包箱の変形例を示す図である。
【発明を実施するための形態】
【００２５】
以下、図面を参照しながら、本発明に係る粘着フィルム用梱包箱及び粘着フィルム梱包セットの好適な実施形態について詳細に説明する。
【００２６】
図１は、本発明に係る粘着フィルム梱包セットの一実施形態を示す斜視図である。また、図２は、図１に示した粘着フィルム梱包セットを蓋部が開いた状態で示す斜視図である。図１及び図２に示すように、粘着フィルム梱包セット１は、例えば５０枚程度の矩形の粘着フィルム３を粘着フィルム用梱包箱２に梱包することによって構成されている。粘着フィルム用梱包箱２内には、粘着フィルム３に加え、保護シートや遮光シート等を入れることもできる。
【００２７】
粘着フィルム用梱包箱２は、粘着フィルム３が収容される本体部１１と、本体部１１を開閉させる蓋部１２とを備えている。本体部１１と蓋部１２とは、蓋部１２を閉じた状態では全体として略直方体形状をなしている。本体部１１及び蓋部１２は、例えばポリエチレンテレフタラート（ＰＥＴ）によって一体的に形成され、収容される粘着フィルム３を保護するための十分な強度と、紫外線に対する透明性とを有している。
【００２８】
本体部１１は、図２に示すように、収容される粘着フィルム３の主面に対向する主壁部（第１の壁部）１１ａと、主壁部１１ａに交差する側壁部（第２の壁部）１１ｂとを有している。主壁部１１ａは、粘着フィルム３の寸法に対して僅かに大きな寸法の矩形状をなし、側壁部１１ｂは、主壁部１１ａの各辺に主壁部１１ａと直交して設けられている。また、蓋部１２は、閉じた状態において、本体部１１の主壁部１１ａと対向する主壁部（第３の壁部）１２ａを有している。これらの主壁部１１ａ，１２ａと側壁部１１ｂとで囲まれる空間が、本体部１１における粘着フィルム３の収容空間Ｓとなっている。
【００２９】
粘着フィルム３は、例えば携帯端末用のタッチパネル式ディスプレイにおいて、保護パネルとタッチパネルとの間、タッチパネルと液晶パネルとの間に配置される透明なフィルムである。粘着フィルム３は、図３に示すように、粘着層２１と、粘着層２１の一面側に設けられた第１の基材２２と、粘着層２１の他面側に設けられた第２の基材２３とを備えている。
【００３０】
粘着フィルム３の平面形状は、適用されるディスプレイの平面形状に応じて適宜設計されるが、面積が１５０ｃｍ２〜２０００ｃｍ２の範囲内であれば特に制限はない。本実施形態の粘着フィルム３は、長辺が５０ｍｍ以上５００ｍｍ以下、短辺が３０ｍｍ以上４００ｍｍ以下の長方形であるが、長辺が１００ｍｍ以上３００ｍｍ以下、短辺が８０ｍｍ以上２８０ｍｍ以下の長方形状である場合、特に本発明の効果が顕著に発揮される。また、粘着層２１の厚さは、例えば１００μｍ〜５００μｍ程度となっている。
【００３１】
粘着層２１は、２５℃における貯蔵弾性率が１．０×１０３〜１×１０６Ｐａ程度であり、特に、貯蔵弾性率が１．０×１０４〜５×１０５Ｐａ程度であることがより好適である。この貯蔵弾性率は、厚さ０．５ｍｍの粘着フィルム３の試料を作製し、動的粘弾性測定装置（例えばＲｅｏｍｅｔｒｉｃ  Ｓｃｉｅｎｔｉｆｉｃ（株）：ＲＳＡ  ＩＩ：測定周波数１Ｈｚ：シェアサンドイッチモード）で測定できる。
【００３２】
粘着層２１は、例えば、（Ａ）アクリル酸系誘導体ポリマー、（Ｂ）アクリル酸系誘導体、（Ｃ）重合開始剤等の粘着剤組成物によって形成される。
【００３３】
（Ａ）アクリル酸系誘導体ポリマーは、（Ｂ）アクリル酸系誘導体を重合させて得られるものであり、その重量平均分子量（ゲルパーミエーションクロマトグラフィーにより標準ポリスチレンの検量線を用いて測定したもの）が１０，０００以上１，０００，０００以下であるものが好ましい。アクリル酸系誘導体ポリマーは、アクリル酸系誘導体以外のモノマーを併用して重合させて得られるポリマーであってもよい。
【００３４】
（Ｂ）アクリル酸系誘導体は、アクリル酸又はメタクリル酸、それらの誘導体等がある。具体的には、重合性不飽和結合を分子内に１個有する、アルキル基の炭素数が１〜２０の（メタ）アクリル酸アルキル、ベンジルメタアクリレート、アルコキシアルキル（メタ）アクリレート、アミノアルキル（メタ）アクリレート、（ジエチレングリコールエチルエーテル）の（メタ）アクリル酸エステル、ポリアルキレングリコールアルキルエーテルの（メタ）アクリル酸エステル、ポリアルキレングリコールアリールエーテルの（メタ）アクリル酸エステル、脂環式基を有する（メタ）アクリル酸エステル、フッ素化アルキルアクリレート、２−ヒドロキシエチルメタクリレート、３−ヒドロキシプロピルメタクリレート、４−ヒドロキシブチルメタクリレート、２−ヒドロキシエチルアクリレート、３−ヒドロキシプロピルアクリレート、４−ヒドロキシブチルアクリレート、グリセロールメタクリレート、グリセロールアクリレート等の水酸基を有する（メタ）アクリル酸エステル、グリシジル（メタ）アクリレート、アクリルアミド、（メタ）アクリロイルモルホリン等が挙げられる。これらは、単独又は２種類以上を併用することができる。
【００３５】
上記の重合性不飽和結合を分子内に１個有するモノマーと共に、重合性不飽和結合を分子内に２個以上有するモノマーを使用することができる。このようなモノマーとしては、ビスフェノールＡジ（メタ）アクリレート、１，４−ブタンジオールジ（メタ）アクリレート、１，３−ブチレングリコールジ（メタ）アクリレート、ジエチレングリコールジ（メタ）アクリレート、グリセロールジ（メタ）アクリレート、ネオペンチルグリコールジ（メタ）アクリレート、ポリエチレングリコールジ（メタ）アクリレート、ポリプロピレングリコールジ（メタ）アクリレート、テトラエチレングリコールジメタクリレート、トリメチロールプロパントリメタクリレート、ペンタエリスリトールトリ（メタ）アクリレート、トリス（（メタ）アクリロキシエチル）イソシアヌレート、ペンタエリスリトールテトラ（メタ）アクリレート、ジペンタエリスリトールテトラ（メタ）アクリレート、ジペンタエリスリトールヘキサ（メタ）アクリレート、ジペンタエリスリトールペンタ（メタ）アクリレート、ウレタン結合を有するジ（メタ）アクリレート等が挙げられる。これらのモノマーは、単独で又は２種以上を組み合わせて用いることができる。
【００３６】
なお、「（メタ）アクリレート」とは、「アクリレート」及びそれに対応する「メタクリレート」を意味する。同様に「（メタ）アクリル」とは、「アクリル」及びそれに対応する「メタクリル」を意味し、「（メタ）アクリロイル」とは「アクリロイル」及びそれに対応する「メタクリロイル」を意味する。
【００３７】
（Ｃ）重合開始剤は、光重合開始剤を使用することができ、ケトン系、アセトフェノン系、ベンゾフェノン系、アントラキノン系、ベンゾイン系、アシルフォスフィンオキサイド系、スルホニウム塩、ジアゾニウム塩、オニウム塩等の公知の材料から選ぶことができる。これらの中でも特に、１―ヒドロキシシクロヘキシルフェニルケトン等のケトン系化合物、ビス（２，４，６−トリメチルベンゾイル）−フェニルフォスフィンオキサイド、ビス（２，６−ジメトキシベンゾイル）−２，４，４−トリメチル−ペンチルフォスフィンオキサイド、２，４，６−トリメチルベンゾイル−ジフェニルフォスフィンオキサイド等のアシルフォスフィンオキサイド系化合物が透明性及び硬化性の観点から好ましい。
【００３８】
また、粘着層２１は、可視光領域（波長：３８０〜７８０ｎｍ）の透過率が９０％以上であることが好ましい。粘着フィルム３の作製は、例えば、第１の基材２２上に粘着剤組成物を任意の膜厚で塗工して粘着層２１を形成し、第２の基材２３を粘着層上に積層し、次いで任意の大きさに裁断することで得られる。
【００３９】
粘着層２１を形成した後、紫外線等の活性光線を照射してもよい。本実施形態では、上述したように、本体部１１及び蓋部１２が紫外線に対する透明性を有している。このため、本体部１１に粘着フィルム３を収容した状態で、粘着フィルム３の側面に向けて粘着フィルム用梱包箱２の外側から紫外線を照射することが可能となる。粘着フィルム３の粘着層２１を所望の程度で硬化させることにより、基材２２，２３の間からの粘着層２１のはみ出しを抑制できる。
【００４０】
第１の基材２２は、例えばポリエチレンテレフタラートなどの有機材料によって形成されている。また、第１の基材２２の厚さは、例えば５０μｍ〜２００μｍ程度となっている。第２の基材２３は、第１の基材２２と同様に、例えばポリエチレンテレフタラートなどの有機材料によって形成されている。また、第２の基材２３の厚さは、例えば５０μｍ〜２００μｍ程度となっている。
【００４１】
第１の基材２２及び第２の基材２３は、粘着層２１との剥離強度を調節する目的で、少なくとも一方の表面が離型処理されていてもよい。また、第１の基材２２又は第２の基材２３において、粘着層２１と接している面の反対面には、接着剤等を介して第３の基材が更に積層されていてもよい。
【００４２】
なお、第１の基材２２と粘着層２１との剥離強度は、第２の基材２３と粘着層２１との剥離強度に比べて高くなっており、第２の基材２３は第１の基材２２に比べて粘着層２１から剥がし易くなっている。また、第１の基材２２及び第２の基材２３の縁部は、粘着層２１の縁部よりも外側に１ｍｍ〜３０ｍｍ程度張り出しており、粘着層２１を保護するほか、第１の基材２２及び第２の基材２３を粘着層２１から剥がす際のつまみ部としても機能する。
【００４３】
このような粘着フィルム３を本体部１１内で安定して収容する構成として、図１及び図２に示すように、本体部１１における主壁部１１ａの内側の中央部分には、平面視で略長方形状をなす扁平な凸部（第１の保持部）１４が形成され、蓋部１２における主壁部１２ａの内側の中央部分には、平面視で略八角形状をなす扁平な凸部（第２の保持部）１３が形成されている。この凸部１３，１４は、蓋部１２が閉じられたときに、本体部１１に収容される粘着フィルム３の両面を挟み込み、収容空間Ｓ内で粘着フィルム３の位置や姿勢を保持するようになっている。
【００４４】
図４は、粘着フィルム３内での粘着フィルム３の収容状態を示す図である。同図に示すように、蓋部１２側の凸部１３は、前述のように略八角形状をなしており、粘着フィルム３の角部３ａを除く部分のみに接触するように配置されている。また、本体部１１側の凸部１４は、粘着フィルム３の寸法よりも一回り小さい形状の略長方形状となっており、粘着フィルム３の縁部３ｂを除く部分のみに接触するように配置されている。
【００４５】
したがって、蓋部１２を閉じたとき、粘着フィルム３の中央部分には、凸部１３，１４によって一定の圧力がかかるが、粘着フィルム３の角部３ａ及び縁部３ｂに対する凸部１３，１４からの圧力は、中央部分に比べて緩和される。粘着フィルム３の角部３ａ及び縁部３ｂに対する圧力を緩和することにより、基材２２，２３の間からの粘着層２１のはみ出しを抑制できる。
【００４６】
また、本体部１１における側壁部１１ｂの内面には、収容される粘着フィルム３の角部３ａに対向する第１の部分１６と、収容される粘着フィルム３の角部３ａを除く部分に対向する第２の部分１７とが形成されている。第１の部分１６は、丸みを帯びた形状となっており、第２の部分１７に比べて数ｍｍ程度外向きに突出している。一方、第２の部分１７は、収容される粘着フィルム３の縁部３ｂに沿って略平坦形状となっている。第２の部分１７には、第１の部分１６を挟むように数ｍｍ程度内向きに突出する突出部１８が複数設けられている。
【００４７】
突出部１８は、図５に示すように、収容される粘着フィルム３の積層方向に対応するように側壁部１１ｂの高さ方向に延在している。また、突出部１８の頂面は平坦面となっており、当該平坦面の全面は、凹凸パターンによる滑止部１８ａとなっている。滑止部１８ａは、例えば算術平均粗さが１０μｍ以上の粗面となっており、側壁部１１ｂの他の部分に比べて摩擦力が高められている。
【００４８】
この滑止部１８ａは、梱包箱に複数の粘着フィルム３を立てた状態で並べた場合に、本体部１１に収容された粘着フィルム３の縁部３ｂに接触し、粘着フィルム３が側壁部１１ｂ上を滑ることがないように作用する。粘着フィルム３の滑りを防止することで、粘着フィルム３の下側となった部分が湾曲することを防止できる。したがって、粘着フィルム３に局所的な圧力がかかることを回避でき、粘着層が基材の間からはみ出してしまうことを抑制できる。本実施形態のように滑止部１８ａを粗面で構成する場合、滑止部１８ａに異物が混入してしまうことも回避できる。
【００４９】
また、本体部１１に対して内向きに突出する突出部１８の頂面に滑止部１８ａが設けられていることで、粘着フィルム用梱包箱２の姿勢が変化したときに、収容空間Ｓ内で粘着フィルム３の位置がずれたとしても、突出部１８が粘着フィルム３の縁部３ｂに当たって支えられる一方で、粘着フィルム３の角部３ａと第１の部分１６との間隔が十分に確保される。このような構成により、基材２２，２３の間からの粘着層２１のはみ出しを一層確実に抑制できる。
【００５０】
このような滑止部１８ａは、例えば粘着フィルム用梱包箱２を形成する際に使用する金型に、サンドブラスト、エッチング、機械加工等で予め凹凸パターンを設け、成形により凹凸パターンを転写することで形成できる。このような方法を用いることにより、滑止部１８ａを本体部１１と同一の材料によって本体部１１と一体的に形成できる。これにより、粘着フィルム用梱包箱２を簡単化できる。また、滑止部１８ａの形成のために部品点数が増加することもなく、粘着フィルム用梱包箱２の低コスト化を実現できる。
【００５１】
図５に示した例では、突出部１８の頂面の全面に滑止部１８ａを設けているが、滑止部１８ａは必ずしも突出部１８の頂面の全面に設ける必要はない。例えば図６に示すように、突出部１８の頂面の一部（ここでは中央部）において、収容される粘着フィルム３の積層方向に応じて側壁部１１ｂの高さ方向に滑止部１８ａが帯状に延在している構成としてもよい。
【００５２】
また、滑止部１８ａは、粗面で形成する構成に限られず、例えば図７に示すように、複数列の溝部１８ｂによって形成してもよい。この場合、溝部１８ｂは、収容される粘着フィルム３の縁部３ｂに応じて側壁部１１ｂの長さ方向に形成することが好ましい。溝部１８ｂの断面形状は、例えばＶ字状、Ｕ字状、矩形状、半円形状、円弧状等の各種の形状を採り得る。また、溝部１８ｂの幅をＷとし、溝部１８ｂの深さをＨとした場合に、幅に対する深さの比（すなわち溝部１８ｂのアスペクト比）Ｈ／Ｗが０．５〜１．０の範囲となっていることが好適である。
【００５３】
滑止部１８ａの表面粗さは、滑止部１８ａを切り出し、表面粗さ測定機（例えば（株）ミツトヨ：ＳＪ−３１０：測定距離４０ｍｍ：測定速度０．５ｍｍ／ｓ：検出器２μｍＲ／６０°）を用いて測定できる。表面粗さ測定の際は、切り出した滑止部１８ａを測定冶具又は台に固定する。固定方法に特に制限はなく、例えば粘着テープ等で固定すればよい。切り出す滑止部１８ａの寸法は、測定距離が得られる範囲であれば特に制限はない。
【００５４】
さらに、図１に示すように、蓋部１２の外面側の四隅には、本体部１１の角部１１ｃを隙間なく嵌め込み可能な形状の嵌合部１９がそれぞれ設けられている。この嵌合部１９により、複数の粘着フィルム用梱包箱２を用意した場合に、本体部１１の角部１１ｃを別の粘着フィルム用梱包箱２における蓋部１２の嵌合部１９に嵌め込むことができる。これにより、図８に示すように、複数の粘着フィルム用梱包箱２を起立した状態で整列させることが可能となり、本体部１１内の粘着フィルム３の姿勢を安定化できるほか、複数の粘着フィルム用梱包箱２を保存・運搬する際の省スペース化などが図られる。
【００５５】
本発明は、上記実施形態に限られるものではない。例えば上述した実施形態では、略八角形状をなす凸部１３を蓋部１２側に設け、略長方形状をなす凸部１４を本体部１１側に設けているが、凸部１３を本体部１１側に設け、凸部１４を蓋部１２側に設けてもよい。また、本体部１１及び蓋部１２のいずれか一方側に凸部１３のみを設けてもよい。
【００５６】
さらに、図９に示すように、略八角形状をなす凸部１３を蓋部１２側に設け、略長方形状をなす凸部１４に代えて、本体部１１側にも略八角形状をなす凸部２０を設けてもよい。このような構成においても、凸部１３と凸部２０との協働により、収容される粘着フィルム３を本体部１１内でしっかりと保持できる。また、凸部１３，２０がいずれも粘着フィルム３の角部３ａを除く部分を保持するので、基材２２，２３の間からの粘着層２１のはみ出しも抑制できる。
【符号の説明】
【００５７】
１…粘着フィルム梱包セット、２…粘着フィルム用梱包箱、３…粘着フィルム、３ａ…角部、３ｂ…縁部、１１…本体部、１１ａ…主壁部（第１の壁部）、１１ｂ…側壁部（第２の壁部）、１１ｃ…角部、１２…蓋部、１２ａ…主壁部（第３の壁部）、１３…凸部（第２の保持部）、１４…凸部（第１の保持部）、１６…第１の部分、１７…第２の部分、１８…突出部、１８ａ…滑止部、１８ｂ…溝部、１９…嵌合部、２０…凸部（第１の保持部）、２１…粘着層、２２…第１の基材、２３…第２の基材。
【図１】
2015085940.tif 000003
【図２】
2015085940.tif 000004
【図３】
2015085940.tif 000005
【図４】
2015085940.tif 000006
【図５】
2015085940.tif 000007
【図６】
2015085940.tif 000008
【図７】
2015085940.tif 000009
【図８】
2015085940.tif 000010
【図９】
2015085940.tif 000011